(57)【要約】【課題】本発明の課題は、インキ逆流によるインキ漏れがなく、組立性の良いボールペン用レフィルと、そのボールペン用レフィルを装着した電子ペンを提供することである。【解決手段】インキ収容筒の先端に、ボールを回転自在に抱持したボールペンチップを直接又はチップホルダーを介して装着し、前記インキ収容筒内にボールペン用インキを直に充填し、該インキの後方に、高分子多孔質体又は繊維収束体からなるインキ逆流防止栓を前記インキと離間して配設してなるボールペン用レフィルであって、前記インキ逆流防止栓は、外径が前記インキ収容筒の内径よりも大きく、前記インキ収容筒に圧接する圧入部と、前記チップ側の端部に、最大外径が前記インキ収容筒の内径よりも小さい挿入部を有することを特徴とする。【選択図】        図１
2007261067.tif 000002
【特許請求の範囲】
【請求項１】
インキ収容筒の先端に、ボールを回転自在に抱持したボールペンチップを直接又はチップホルダーを介して装着し、前記インキ収容筒内にボールペン用インキを直に充填し、該インキの後方に、高分子多孔質体又は繊維収束体からなるインキ逆流防止栓を前記インキと離間して配設してなるボールペン用レフィルであって、前記インキ逆流防止栓は、外径が前記インキ収容筒の内径よりも大きく、前記インキ収容筒に圧接する圧入部と、前記チップ側の端部に、最大外径が前記インキ収容筒の内径よりも小さい挿入部を有することを特徴とするボールペン用レフィル。
【請求項２】
前記インキ逆流防止栓の圧入部と挿入部が、連接部を介して形成されているとともに、該連接部が、前記圧入部から挿入部に向かって除々に縮径する傾斜状又は円弧状に形成してあることを特徴とする請求項１に記載のボールペン用レフィル。
【請求項３】
前記インキ逆流防止栓の挿入部が、前記チップ側に向かって外径が縮径する先細形状であることを特徴とする請求項１または２に記載のボールペン用レフィル。
【請求項４】
前記挿入部が、インキ逆流防止栓の両端部に形成してあることを特徴とする請求項１ないし３の何れか１項に記載のボールペン用レフィル。
【請求項５】
前記インキ逆流防止栓が繊維収束体からなり、該繊維収束体が、ナイロン繊維収束体からなることを特徴とする請求項１ないし４の何れか１項に記載のボールペン用レフィル。
【請求項６】
前記インキ逆流防止栓が繊維収束体からなり、該繊維収束体が、ウレタン系の接着剤で固着してあることを特徴とする請求項１ないし５の何れか１項に記載のボールペン用レフィル。
【請求項７】
前記請求項１ないし６の何れか１項からなるボールペン用レフィルを、軸筒内に装着したことを特徴とする筆記具。
【請求項８】
前記請求項１ないし６の何れか１項からなるボールペン用レフィルを、軸筒内に装着したことを特徴とする電子ペン。
【発明の詳細な説明】
【技術分野】
【０００１】
本発明は、ボールペン用レフィルの後端からのインキ漏れ等がないボールペン用レフィルに関し、さらに詳しくは筆記具用インキの後方に高分子多孔質体又は繊維収束体からなるインキ逆流防止栓を配設したボールペン用レフィルに関する。
【背景技術】
【０００２】
従来からボールペンを使用する時にチップを上向きにして筆記したり、誤って落下させる等の衝撃によりインキが逆流し、このインキ逆流によってインキが外部に漏れ出し、衣服などを汚損する問題があった。特に電子ペンにおいてはインキ逆流によるインキ漏れは、内部の電子装置部品等の故障原因になってしまうという大きな問題があった。
【０００３】
こうした問題を鑑みて、ボールペン用インキの後方にインキ逆流によるインキ漏れ防止用の栓として、高分子多孔質体や繊維収束体等のインキ逆流防止栓を配設することを特徴とした筆記具が多く提案されている。
【０００４】
ボールペン用インキの後方にインキ逆流防止栓を配設することを特徴としたボールペン用レフィルとしては以下のような提案がある。実公昭３５−２６９１６号公報「ボールペンの中具」、実公昭３８−８２５１号公報「ボールペンのインキ収容管におけるインキ逆流防止装置」では、インキ逆流防止栓の材質が金属や天然ゴム、合成ゴム等を用いたもの、特開２００４−１２２６０４号公報「インク逆流防止栓」では繊維束芯を用いたものが開示されている。また、電子ペンにおいてはＷＯ０２／０６４３８０号公報「筆記具」で加圧ボールペンを電子ペンに装着したものが開示されている。
【０００５】
また、インキ逆流防止栓の配設方法としては、特開平１−２１０３９８号「チューブへの発泡体圧入方法」に、インキ逆流防止栓を圧入装着する方法が開示されている。
【特許文献１】「実公昭３５−２６９１６号公報」
【特許文献２】「実公昭３８−８２５１号公報」
【特許文献３】「特開２００４−１２２６０４号公報」
【特許文献４】「ＷＯ０２／０６４３８０号公報」
【特許文献５】「特開平１−２１０３９８号公報」
【発明の開示】
【発明が解決しようとする課題】
【０００６】
しかし、特許文献１、２のようにインキ逆流防止栓の材質が金属や天然ゴム、合成ゴム等を用いたものでは、インキ収容筒内の密閉度が高すぎて、空気交替が妨げられ、インキ追従性が悪くなってしまう結果、筆跡にカスレが生じ、書き味が悪化し、さらには筆記ができなくなるといった新たな問題を抱えている。
【０００７】
そのため、インキ追従性を考慮したものとして、特許文献３には繊維収束体により逆流防止栓を形成することが開示されている。しかしながら、該繊維収束体によるインキ逆流防止栓を構成する繊維及び接着剤は硬質であり、柔軟性や弾力性に乏しいため、インキ収容筒の内壁と繊維収束体の表面との間に微少な隙間が生じ、インキの逆流漏れを防止する効果が十分ではないという問題があった。また、特許文献５に開示されているように、従来の高分子多孔質体からなるインキ逆流防止栓の場合は、インキ収容筒の内径よりも大きく形成した立方体や直方体等を圧入装着するため、高分子多孔質体を圧縮した状態にする必要があり、インキ収容筒内に配設する時に、インキ収容筒の後端面に引っかかり配設し難く、組立性が煩雑であった。
【０００８】
ところで、近年、特許文献４のように、特定の点群を印刷した専用紙上に、例えば光学的検出手段として赤外線ＣＣＤカメラを内蔵したペンを用いて文字や図形等を書き、前記赤外線ＣＣＤカメラにより読み取った紙上の点群映像データを基に、ペンの移動方向及び距離を算出し、筆跡情報をデジタル入力できるような電子ペンによる手書き文字または図形読み取りシステムが開発されている。このシステムでは、文字や図形等の読み取ったデータをパソコンや携帯情報端末に電送して処理することも可能になっている。
【０００９】
その中には、手書き文字や図形をペンに内蔵したメモリーにリアルタイムで記憶させて、読み取った手書き文字や図形のデータをコードを繋がずに電子ペンから直接、パソコンや携帯情報端末に送信することができるものもある。さらに電子ペンに通信器を内蔵させれば簡単にデータを遠方に送信することができる。このような技術については、専用紙に書いた文字や図形等がそのままデジタルデータとなるので、例えば手書きのメモデータをパソコンや携帯電話へ送信可能となるものである。さらに、ボールペン用レフィルを装着しているので専用紙上へ筆記した筆跡も残すことができる。
【００１０】
ところが、電子ペンは軸筒内部に電子基板やバッテリー、メモリー等の電子部品等を搭載しているため、その中でインキの逆流漏れを起こしてしまった電子ペンは、内部の電子装置部品の故障を引き起こし、修理不可能となり、さらにはメモリーに内蔵されたデータも消失するという重大な欠陥となってしまう問題があった。
【００１１】
特許文献４には、ボールペン用レフィルと電子部品が接触している電子ペンに装着するボールペン用レフィルとして、インキの逆流漏れが原因による、内部の電子装置部品の故障を防止するために、レフィルの後端を完全に密閉した加圧ボールペンを具備することが開示されている。しかし、加圧ボールペンは、チップ先端からのインキ漏れを防止するために、インキ粘度の高い筆記具用インキを充填する必要があり、結果として、書き味を犠牲にしているのが現実である。
【００１２】
本発明の目的は、インキ逆流によるインキ漏れがなく、且つインキ逆流防止栓を配設し易いボールペン用レフィルを提供することである。
【課題を解決するための手段】
【００１３】
上記課題を解決するために、本発明は、
「１．インキ収容筒の先端に、ボールを回転自在に抱持したボールペンチップを直接又はチップホルダーを介して装着し、前記インキ収容筒内にボールペン用インキを直に充填し、該インキの後方に、高分子多孔質体又は繊維収束体からなるインキ逆流防止栓を前記インキと離間して配設してなるボールペン用レフィルであって、前記インキ逆流防止栓は、外径が前記インキ収容筒の内径よりも大きく、前記インキ収容筒に圧接する圧入部と、前記チップ側の端部に、最大外径が前記インキ収容筒の内径よりも小さい挿入部を有することを特徴とするボールペン用レフィル。
２．前記インキ逆流防止栓の圧入部と挿入部が、連接部を介して形成されているとともに、該連接部が、前記圧入部から挿入部に向かって除々に縮径する傾斜状又は円弧状に形成してあることを特徴とする第１項に記載のボールペン用レフィル。
３．前記インキ逆流防止栓の挿入部が、前記チップ側に向かって外径が縮径する先細形状であることを特徴とする第１項または第２項に記載のボールペン用レフィル。
４．前記挿入部が、インキ逆流防止栓の両端部に形成してあることを特徴とする第１項ないし第３項の何れか１項に記載のボールペン用レフィル。
５．前記インキ逆流防止栓が繊維収束体からなり、該繊維収束体が、ナイロン繊維収束体からなることを特徴とする第１項ないし第４項の何れか１項に記載のボールペン用レフィル。
６．前記インキ逆流防止栓が繊維収束体からなり、該繊維収束体が、ウレタン系の接着剤で固着してあることを特徴とする第１項ないし第５項の何れか１項に記載のボールペン用レフィル。
７．前記第１項ないし第６項の何れか１項からなるボールペン用レフィルを、軸筒内に装着したことを特徴とする筆記具。
８．前記第１項ないし第６項の何れか１項からなるボールペン用レフィルを、軸筒内に装着したことを特徴とする電子ペン。」
である。
【発明の効果】
【００１４】
本発明は、インキ逆流によるインキ漏れがなく、且つインキ逆流防止栓を配設し易いボールペン用レフィルを提供することができた。
【発明を実施するための最良の形態】
【００１５】
次に図面を参照しながら、本発明のボールペン用レフィルの実施例を説明するが、本発明は以下の実施例に限定されるものではない。
【００１６】
実施例１
図１から図３に示す実施例１のボールペン用レフィル１は、金属製のインキ収容筒２内に２０℃、ずり速度１０ｓｅｃ−１において１５０００ｍＰａ・ｓの油性インキ５を充填するとともに、インキ収容筒の先端に、筆記体としてボール４を回転自在に抱持したチップ３を装着した後、遠心機（図示せず）にてレフィル１内の空気を排出し、油性ボールペン用インキ５の後方で、該インキ５の後端と離間した位置（間隙Ｋ）にナイロン繊維をウレタン系接着剤で収束した繊維収束体からなるインキ逆流防止栓６を圧接して配設して実施例１のボールペン用レフィルを得た。
【００１７】
インキ逆流防止栓６は、インキ収容筒２の内径Ｍよりも大きい外径Ｎ１（Ｍ＜Ｎ１）でインキ収容筒に圧接する圧入部６ａと、インキ逆流防止栓の両端部に、最大外径Ｌ１がインキ収容筒２の内径Ｍよりも小さい（Ｍ＞Ｌ１）略円柱状の挿入部６ｂを形成し、圧入部６ａと挿入部６ｂとを連続的に形成してある。
【００１８】
インキ逆流防止栓６のチップ側の端部に、最大外径がインキ収容筒２の内径Ｍよりも小さい略円柱状の挿入部６ｂを形成してあるので、図２に示すように、挿入部６ｂがインキ収容筒２の内部へ潜り込み易くなり、さらに、インキ逆流防止栓６がインキ収容筒２の後端面に引っかかり難くなるため、挿入作業を容易にすることができた。その後、インキ逆流防止栓６の後端側からチップ３側に押し込む（矢印Ｆ方向）ことによって、インキ収容筒２の内壁によって圧入部６ａを内側に圧縮しながらインキ収容筒２内に配設した。
【００１９】
また、インキ収容筒２の内径Ｍよりも大きい外径Ｎ１の略円柱状の圧入部６aを形成することによって、配設後にインキ逆流防止栓６が該インキ収容筒２の内壁に密着するため、定着性に優れており、さらには該インキ収容筒２の内壁と繊維収束体の表面との間に微少な隙間が生じずらく、インキの逆流漏れを防止する効果が高まるので好ましい。
【００２０】
さらに、インキ逆流防止栓の両端部に、最大外径がインキ収容筒の内径Ｍよりも小さい略円柱状の挿入部６ｂを形成することによって、インキ収容筒２内に配設する時の方向性がなくなり、組立作業性、特に機械による組立性が向上するので好ましい。
【００２１】
インキ逆流防止栓６の配設位置は、充填するインキ量やインキ収容筒の長さに応じて適宜選択すればよいが、インキ逆流防止栓６をインキ５と離間して配設することが肝要である。これは、インキ逆流防止栓６がインキ５と接すると、繊維収束体からなるインキ逆流防止栓６の場合にはインキが含浸して空気流量が減少し空気交替が妨げられるため、筆記できなくなるといった不具合が発生するおそれがあるからである。
【００２２】
本発明に用いることができるインキ逆流防止栓には、高分子多孔質体又は繊維収束体を用いることができるが、インキ逆流によるインキ漏れ防止効果やコスト面等を考慮すると繊維収束体を用いることが好ましい。
【００２３】
高分子多孔質体としては、エステル系ポリウレタン、エーテル系ポリウレタン等のポリウレタンフォームが例示できる。エステル系ポリウレタンは、ウレタンフォームの主原料であるポリオールの高分子鎖がエステル結合からなるものであり、エーテル系ポリウレタンは、ウレタンフォームの主原料であるポリオールの高分子鎖がエーテル結合からなるものである。一般にエステル結合とエーテル結合は、結合エネルギーの強さ、分子鎖の柔軟性、分子鎖の分子間相互作用等に違いがあり、両者は強度、硬さ、耐水性、耐油性等が相違する。そのため、筆記具用インキとして油性インキを用いる場合には、耐油性が良好なエステル系ポリウレタンを用いることが好ましい。
【００２４】
また、ポリウレタンフォームには、セル膜を有するものとセル膜のないものがあり、セル膜を有するものは、筆記具用インキが逆流してきた際に、セル膜がインキ流路を阻害するよう働くため、インキの逆流漏れを防止するには、セル膜を有する高分子多孔質体を用いることが好ましい。このセル膜とは、三次元網目構造で形成された高分子多孔質体において、網目の一部に張られた薄膜部分をいう。本発明に有用なセル膜は、高分子多孔質体製造時の発泡工程において生成させることができるものであり、一般的にミラーと称されることもあるものである。
【００２５】
さらに、高分子多孔質体には連続気泡を有するものと独立気泡を有するものがあるが、独立気泡を有するものは空気が透過しないため空気交替が妨げられ、筆記できなくなるといった不具合が発生するおそれがある。従って、一定の空気流量が得られる連続気泡を有する高分子多孔質体を用いることが好ましい。
【００２６】
繊維収束体としては、繊維同士を接着等により固着したもの等が使用できる。繊維収束体に用いる繊維としては、ナイロン６、ナイロン６．６等のナイロン繊維、ポリアクリロニトリル等のアクリル繊維、ポリエチレンテレフタレート繊維、共重合ポリエステル繊維等のポリエステル繊維、ポリプロピレン等のポリオレフィン繊維、塩化ビニル繊維等の合成繊維、レーヨン等の半合成繊維、羊毛、綿等の天然繊維等が例示でき、これらを１種、あるいは２種以上混合して用いることが出来る。
【００２７】
これらの繊維のうち、ナイロン６、ナイロン６．６等のナイロン繊維は柔軟性及び弾力性に優れているため、繊維収束体の材料として用いると、インキ収容筒への配設作業性が容易になるとともに、インキ収容筒の内壁に密着するため定着性も優れている。そのうえ、インキ収容筒の内壁と繊維収束体の表面との間に微少な隙間が生じずらく、インキの逆流漏れを防止する効果が高まるので好ましい。さらに、用いるインキの種類によっても異なるがインキとして油性ボールペン用インキを用いる場合には、耐油性の高いナイロン繊維を用いるのが最も好ましい。
【００２８】
繊維収束体は繊維を圧縮しただけで用いると、材料の種類によっては繊維の交絡が少なく、繊維収束体としての強度が弱くなることがある。この場合、インキ収容筒内に繊維収束体を配設する際に、束ねた繊維がばらけることがあるので、繊維を圧縮して束ねた状態を維持するために接着等の加工を行う必要がある。接着剤としては、ウレタン系接着剤、フェノール系接着剤、メラミン系接着剤等が例示できるが、接着強度、接着後の繊維収束体の柔軟性及び弾力性を考慮して、ウレタン系接着剤を用いることが最も好ましい。
【００２９】
また、インキ逆流防止栓を透過する空気流量が、インキ逆流防止栓をインキ収容筒に配設した状態で、２０℃、１０ｋＰａ加圧において、０．５ｍｌ／ｍｉｎを下回ると、インキ後端への空気の供給量が少なくなり、空気交替が妨げられることで、筆跡にカスレが生じ、書き味が悪化し、さらには筆記ができなくなるおそれがある。その一方で、前記空気流量が３００．０ｍｌ／ｍｉｎを上回ると、インキ逆流が発生した場合に、外部へのインキ漏れを防止し難しくなる。従って、インキ逆流防止栓を透過する空気流量は、２０℃、１０ｋＰａ加圧において、０．５ｍｌ／ｍｉｎ以上、３００．０ｍｌ／ｍｉｎ以下とすることが好ましく、さらに好ましくは、６０．０ｍｌ／ｍｉｎ以上、２１５．０ｍｌ／ｍｉｎ以下とする方がより好ましい。
【００３０】
尚、２０℃、１０ｋＰａ加圧における、インキ逆流防止栓を透過する空気流量とは、空のインキ収容筒内にインキ逆流防止栓を配設したものについて、株式会社コスモ計器製エアリークテスタＬＳ-１８４２により、２０℃の環境下で等価内容積２４０．０ｍｌ、テスト圧１０ｋＰａ、検出時間０．３ｓにおいて測定したものである。
【００３１】
実施例２
図４から図６に示す実施例２のボールペン用レフィル１１は、 繊維収束体からなるインキ逆流防止栓１６を、インキ収容筒２の内径Ｍよりも大きい外径Ｎ２の圧入部１６ａと、インキ逆流防止栓の両端部に、最大外径がインキ収容筒２の内径Ｍよりも小さい挿入部１６ｂを形成し、挿入部１６ｂの端部に向かって段階的に縮径する先細状に形成し、圧入部１６ａと挿入部１６ｂとを連続的に形成した以外は実施例１と同様にしてボールペン用レフィル１１を得た。
【００３２】
実施例３
図７から図９に示す実施例３のボールペン用レフィル２１は、繊維収束体からなるインキ逆流防止栓２６を、インキ収容筒２の内径Ｍよりも大きい外径Ｎ３の圧入部２６ａと、インキ逆流防止栓の両端部に、インキ逆流防止栓２６の先端面の角部を面取り加工することによって、最大外径がインキ収容筒２の内径Ｍよりも小さい略裁頭円錐形の挿入部２６ｂを形成してある。また、圧入部２６ａと挿入部２６ｂは連接部２６ｃを介して形成してあり、この連接部２６ｃを、連接部２６ｃの外壁面と挿入部２６ｂの外壁面とが同一面となる傾斜状に形成した以外は、実施例１と同様にしてボールペン用レフィル２１を得ていた。
【００３３】
実施例４
図１０から図１２に示す実施例４のボールペン用レフィル３１は、繊維収束体からなるインキ逆流防止栓３６を、インキ収容筒２の内径Ｍよりも大きい外径Ｎ４の圧入部３６ａと、インキ逆流防止栓の両端部に、最大外径がインキ収容筒２の内径Ｍよりも小さい略円筒形の挿入部３６ｂを形成してある。また、圧入部３６ａと挿入部３６ｂは連接部３６ｃを介して形成してあり、この連接部３６ｃを圧入部３６ａから挿入部３６ｂに向かって徐々に縮径する円弧状に形成した以外は、実施例１と同様にしてボールペン用レフィル３１を得た。
【００３４】
実施例５
図１３から図１５に示す実施例５のボールペン用レフィル４１は、繊維収束体からなるインキ逆流防止栓４６を、インキ収容筒２の内径よりも大きい外径Ｎ５の圧入部４６ａと、インキ逆流防止栓４６の先端面の角部を円弧状に面取り加工することによって、最大外径がインキ収容筒２の内径Ｍよりも小さい、略半球形の挿入部４６ｂを形成してある。また、圧入部４６ａと挿入部４６ｂは連接部４６ｃを介して形成してあり、この連接部４６ｃを、連接部４６ｃの外壁面と挿入部４６ｂの外壁面が同一曲面となる円弧状に形成した以外は、実施例１と同様にしてボールペン用レフィル４１を得た。
【００３５】
実施例３、４、５のように圧入部２６ａ、３６ａ、４６ａと挿入部２６ｂ、３６ｂ、４６ｂとをつなぐ連接部２６ｃ、３６ｃ、４６ｃを傾斜状又は円弧状に形成することによって、配設時に連接部２６ｃ、３６ｃ、４６ｃから圧入部２６ａ、３６ａ、４６ａへと徐々に圧縮していくので、挿入部２６ｂ、３６ｂ、４６ｂから圧入部２６ａ、３６ａ、４６ａにスムーズに配設することができるとともに、圧入装着によるインキ逆流防止栓２６、３６、４６への負荷をより小さくすることができ、解れ等の変形が生じ難くなり、組立性をさらに向上させることができるので最も好ましい。
【００３６】
尚、本発明で用いるボールペン用レフィルのインキ収容筒は、材質は特に問わないが、金属製のものや樹脂製のものが挙げられ、ポリプロピレン、エチレンビニルアルコール共重合体等のインキ残量を視認できる透明又は半透明の樹脂製のもので形成するとより好ましい。また、本発明で用いるインキは、インキ収容筒内に直に充填する油性ボールペン用インキ又はボールペン用剪断減粘性インキ等を適宜選択して用いることができる。
【００３７】
本実施例では便宜上、インキ収容筒の後端内部にインキ逆流防止栓をインキの後端と離間した位置に配設してあるが、図示はしていないが、インキ逆流防止栓の後端部をインキ収容筒の後端より外方に突出した状態に挿着しても良い。さらに、図示はしていないが、インキ収容筒の後端に嵌着する内外を連通する空気孔を有する尾栓にインキ逆流防止栓を配設する等、インキ逆流防止栓の配設方法は、インキの後方で、且つインキと離間して配設してあれば特に限定されるものではない。
【００３８】
また、挿入部の形状は、実施例に例示した円柱形、裁頭円錐形等に限定されるものではなく、インキ収容筒の内径よりも最大外径が小さければ、三角柱や四角柱等で形成しても良い。ただし、挿入部の外壁と圧入部と挿入部とをつなぐ連接部を連続直線または曲線に形成することが製作上、好ましい。尚、三角柱や四角柱等の場合、挿入部の最大外径とは、横断面における外接円の径が最も大きい外径のことをいう。
【００３９】
また、インキ逆流防止栓の形状は、実施例に例示した略円柱形等に限定されるものではなく、インキ収容筒内に配設可能であれば、略円錐形、略紡錘形、略球形などで形成しても良い。
【００４０】
さらに、インキ逆流防止栓の挿入部の先端部は、細ければ細い程、インキ収容筒の後端面に引っかかり難くなり、内部に挿入し易くなるが、直棒状であると組立時等に折り曲がったりする恐れがあるので、ある程度の剛性を持たせるために、チップ側に向かって外径が縮径する先細形状に形成することが好ましい。
【００４１】
また、図示はしていないが、本発明のボールペン用レフィルを使用する場合には、軸筒内に本発明のボールペン用レフィルを装着してボールペンとして用いたり、内部に電子装置等が内蔵された電子ペンに装着し、電子的な読み取り等の作用と筆記の両方が出来る電子ペンとして使用したりすることができる。
【００４２】
尚、本発明でいう電子ペンとは、メモリーに手書き文字や図形のデータを記憶させて、読み取ったデータを、パソコンや携帯情報端末に送信することができるペンであって、軸筒内部に電子基板やバッテリー、メモリー等の電子部品等を搭載されている。そのため、インキの逆流漏れを起こしてしまった電子ペンは、内部の電子装置部品の故障を引き起こし、修理不可能となり、さらにはメモリーに内蔵されたデータも消失するという重大な欠陥となってしまうので本発明の効果は特に顕著である。
【産業上の利用可能性】
【００４３】
インキ逆流によるインキ漏れがなく、キャップ式ボールペン、ノック式ボールペン等に用いることのできるボールペン用レフィルとして広く利用可能であり、内部に電子装置等が内蔵された電子ペンにおいて、電子部品を破損させないなどの点で特に有用に利用できる。
【図面の簡単な説明】
【００４４】
【図１】実施例１のボールペン用レフィルを示す一部省略した縦断面図である。
【図２】実施例１におけるインキ逆流防止栓を配設する作業行程を示す図である。
【図３】実施例１における配設前のインキ逆流防止栓の拡大図である。
【図４】実施例２のボールペン用レフィルを示す一部省略した縦断面図である。
【図５】実施例２におけるインキ逆流防止栓を配設する作業行程を示す図である。
【図６】実施例２における配設前のインキ逆流防止栓の拡大図である。
【図７】実施例３のボールペン用レフィルを示す一部省略した縦断面図である。
【図８】実施例３におけるインキ逆流防止栓を配設する作業行程を示す図である。
【図９】実施例３における配設前のインキ逆流防止栓の拡大図である。
【図１０】実施例４のボールペン用レフィルを示す一部省略した縦断面図である。
【図１１】実施例４におけるインキ逆流防止栓を配設する作業行程を示す図である。
【図１２】実施例４における配設前のインキ逆流防止栓の拡大図である。
【図１３】実施例５のボールペン用レフィルを示す一部省略した縦断面図である。
【図１４】実施例５におけるインキ逆流防止栓を配設する作業行程を示す図である。
【図１５】実施例５における配設前のインキ逆流防止栓の拡大図である。
【符号の説明】
【００４５】
１、１１、２１、３１、４１  ボールペン用レフィル
２  インキ収容筒
３  ボールペンチップ
４  ボール
５  ボールペン用インキ
６、１６、２６、３６、４６  インキ逆流防止栓
６ａ、１６ａ、２６ａ、３６ａ、４６ａ  圧入部
６ｂ、１６ｂ、２６ｂ、３６ｂ、４６ｂ  挿入部
２６c、３６c、４６c  連接部 
Ｋ  インキ後端とインキ逆流防止栓の間隙
Ｌ１  挿入部６ｂの最大外径
Ｍ  インキ収容筒の内径
Ｎ１、Ｎ２、Ｎ３、Ｎ４、Ｎ５  インキ逆流防止栓の配設前における圧入部の外径
【図１】
2007261067.tif 000003
【図２】
2007261067.tif 000004
【図３】
2007261067.tif 000005
【図４】
2007261067.tif 000006
【図５】
2007261067.tif 000007
【図６】
2007261067.tif 000008
【図７】
2007261067.tif 000009
【図８】
2007261067.tif 000010
【図９】
2007261067.tif 000011
【図１０】
2007261067.tif 000012
【図１１】
2007261067.tif 000013
【図１２】
2007261067.tif 000014
【図１３】
2007261067.tif 000015
【図１４】
2007261067.tif 000016
【図１５】
2007261067.tif 000017